(57)【特許請求の範囲】
【請求項１】
被記録材に記録を行う記録ヘッドと、
被記録材の排紙経路を側視して前記記録ヘッド下流側近傍から下流に延びる、板状体からなる排紙主フレームと、
該排紙主フレームの上側に設けられ、該排紙主フレームに平行な状態と、該排紙主フレームの上流側端部を回動支点として回動することにより、下流側が前記排紙主フレームから浮き上がった状態とを切り替え可能に構成された、板状体からなる排紙従フレームと、
前記排紙主フレームの下側に設けられ、回動することによって記録の行われた被記録材を排紙する排紙駆動ローラと、
前記排紙主フレームに設けられた窓穴から下方に突出する様に前記排紙従フレームに設けられ、前記排紙従フレームが回動することにより、前記排紙駆動ローラから離間して上方に退避する排紙従動ローラと、備えた記録装置であって、
前記記録ヘッドの下流側近傍に配置される、自由回動可能な規制ローラと、
前記排紙主フレームにおいて前記規制ローラと前記排紙従動ローラとの間に設けられるホルダ回動軸を回動中心に、被記録材の排紙経路を側視して回動可能に設けられる、前記規制ローラを軸支する規制ローラホルダと、を有し、
該規制ローラホルダが、前記排紙従フレームに設けられた窓穴から前記排紙従フレームの上方に突出し、且つ、前記排紙従フレームの上面と摺動する摺動部を前記ホルダ回動軸と前記規制ローラとの間に備え、
前記排紙従フレームが回動すると、前記摺動部が前記排紙従フレームの上面によって持ち上げられ、且つ、前記排紙従フレームの上面を摺動することによって前記規制ローラホルダが回動し、これによって前記規制ローラが前記排紙従動ローラとともに上方に退避する様に構成されている、ことを特徴とする記録装置。
【請求項２】
請求項１において、前記排紙従フレームの上面において前記摺動部が摺動する部分が隆起形状をなすことを特徴とする記録装置。
【請求項３】
請求項１または２において、前記ホルダ回動軸にカム部が形成され、該ホルダ回動軸を回動させることによって前記排紙従フレームが回動する様に構成されている、ことを特徴とする記録装置。
【発明の詳細な説明】
【０００１】
【発明の属する技術分野】
本発明は、被記録材に記録を行う記録装置に関し、特に、回動することによって被記録材を排紙する排紙駆動ローラと、該排紙駆動ローラに圧接する位置と上方に退避する位置とをとることのできる排紙従動ローラと、を備えた記録装置に関する。
【０００２】
【従来の技術】
記録装置の１つとしてインクジェットプリンタ（以下「プリンタ」と略称する）があり、プリンタには、被記録材に記録を行う記録ヘッドと、被記録材の排紙経路を側視して前記記録ヘッド近傍から下流側に向かって略水平に延びる、板状体からなる排紙主フレームと、該排紙主フレームの上側に設けられ、該排紙主フレームに平行な状態と、該排紙主フレームの上流側端部を回動支点として回動することにより、下流側が前記排紙主フレームから浮き上がった状態と、を切り替え可能に構成された、板状体からなる排紙従フレームと、前記排紙主フレームの下側に設けられ、回動することによって記録の行われた被記録材を排紙する排紙駆動ローラと、前記排紙主フレームに設けられた窓穴から下方に突出する様に前記排紙従フレームに設けられ、前記排紙従フレームが回動することにより、前記排紙駆動ローラから離間して上方に退避する排紙従動ローラと、を備えたものがある。
【０００３】
ここで、排紙従動ローラが排紙駆動ローラから上方に退避可能に構成されているのは、以下の様な理由による。即ち、排紙従動ローラが歯付きローラである場合、より詳しくは、周囲に複数の歯を有し、各歯の先端が印刷面に点接触する様に鋭角的に尖っている歯付きローラであると、被記録材が例えばコンパクトディスク媒体の場合に、前記歯がコンパクトディスク媒体の印刷面に点接触することで、当該コンパクトディスク媒体の印刷面の直下に在るデータ記憶部分に作用して希にデータを破壊することがあるからである。従ってこの様な不具合を防止すべく、搬送する被記録材に応じて排紙従動ローラが圧接しない様に切り替えることができる様になっている。
【０００４】
ところで、被記録材はインクジェット記録ヘッドからインク滴を吐出される為、被記録材が普通紙等の場合であるとインク滴を吸収することによって主走査方向に波打つ現象（コックリング現象）が発生する。この様なコックリング現象がインクジェット記録ヘッドの近傍で発生すると、記録面（印刷面）がインクジェット記録ヘッドに接触し、所謂ヘッドこすれを生じる虞がある。従ってこれを防止すべく、インクジェット記録ヘッドの下流側近傍に、被記録材の浮き上がりを規制する規制ローラを設けることが望ましい。
【０００５】
【発明が解決しようとする課題】
しかし、前述の様に排紙主フレームと、該排紙主フレームの上流側端部を支点に回動する排紙従フレームとによって排紙従動ローラを上方に退避させる構成において、インクジェット記録ヘッドの下流側近傍、即ち、排紙従フレームの上流側に規制ローラを設け、当該排紙従フレームの回動によって規制ローラを上方に退避させる様に構成すると、規制ローラは排紙従フレームの回動支点近傍に位置する為に上方への退避量が僅かとなり、充分な退避量を確保することができなくなる。一方で、当該規制ローラの退避機構を排紙従フレームの回動機構とは全く別個独立に設けると、構造が複雑となってコストアップとなる。
【０００６】
そこで本発明はこの様な問題に鑑みなされたものであり、その課題は、排紙従フレームの回動支点近傍に配置される規制ローラを、排紙従フレームを回動させることにより、充分な退避量をもって上方に退避させることにある。
【０００７】
【課題を解決するための手段】
上記課題を解決するために、本願請求項１記載の記録装置は、被記録材に記録を行う記録ヘッドと、被記録材の排紙経路を側視して前記記録ヘッド下流側近傍から下流に延びる、板状体からなる排紙主フレームと、該排紙主フレームの上側に設けられ、該排紙主フレームに平行な状態と、該排紙主フレームの上流側端部を回動支点として回動することにより、下流側が前記排紙主フレームから浮き上がった状態とを切り替え可能に構成された、板状体からなる排紙従フレームと、前記排紙主フレームの下側に設けられ、回動することによって記録の行われた被記録材を排紙する排紙駆動ローラと、前記排紙主フレームに設けられた窓穴から下方に突出する様に前記排紙従フレームに設けられ、前記排紙従フレームが回動することにより、前記排紙駆動ローラから離間して上方に退避する排紙従動ローラと、備えた記録装置であって、前記記録ヘッドの下流側近傍に配置される、自由回動可能な規制ローラと、前記排紙主フレームにおいて前記規制ローラと前記排紙従動ローラとの間に設けられるホルダ回動軸を回動中心に、被記録材の排紙経路を側視して回動可能に設けられる、前記規制ローラを軸支する規制ローラホルダと、を有し、該規制ローラホルダが、前記排紙従フレームに設けられた窓穴から前記排紙従フレームの上方に突出し、且つ、前記排紙従フレームの上面と摺動する摺動部を前記ホルダ回動軸と前記規制ローラとの間に備え、前記排紙従フレームが回動すると、前記摺動部が前記排紙従フレームの上面によって持ち上げられ、且つ、前記排紙従フレームの上面を摺動することによって前記規制ローラホルダが回動し、これによって前記規制ローラが前記排紙従動ローラとともに上方に退避する様に構成されていることを特徴とする。
【０００８】
本願請求項１記載の発明によれば、記録ヘッド下流側近傍から下流に延びる排紙主フレームと、該排紙主フレームの上側に設けられ、該排紙主フレームの上流側端部を回動支点として下流側が前記排紙主フレームから浮き上がる様に回動する排紙従フレームと、によって排紙従動ローラを上方に退避させる構成において、排紙従フレームの回動支点近傍に規制ローラを設け、且つ、該規制ローラを、排紙従フレームを回動させることによって排紙従動ローラと共に充分な退避量をもって上方に退避させることが可能となる。即ち、規制ローラは被記録材のヘッドこすれを防止すべく記録ヘッド近傍、即ち、排紙従フレームの回動支点近傍に設けられるので、該規制ローラを排紙従フレームにそのまま設けたのでは上方への退避量が稼げない。
【０００９】
そこで、規制ローラを軸支する規制ローラホルダを、規制ローラと排紙従動ローラとの間に設けられるホルダ回動軸を中心に回動可能に設ける。また、排紙従フレームの上方に突出し、且つ、当該排紙従フレームの上面と摺動する摺動部をホルダ回動軸と規制ローラとの間に設ける。こうすることにより、排紙従フレームが回動すると、摺動部が排紙従フレームの上面によって持ち上げられ、且つ、排紙従フレームの上面を摺動することによって規制ローラホルダが回動し、これによって規制ローラが排紙従動ローラとともに上方に退避する。
【００１０】
つまり、規制ローラを、排紙従フレームの回動によって排紙従動ローラと共に上方に退避する様な構成としつつ、当該規制ローラを軸支する規制ローラホルダの回動支点を排紙従フレームの回動支点とは別に設定したので、規制ローラホルダを排紙従フレームの回動支点近傍にそのまま設ける場合と比して規制ローラの上方への退避量を増加させることができ、以て規制ローラを充分な退避量をもって上方に退避させることが可能となり、また、排紙従フレームを回動させることによって排紙従動ローラと共に規制ローラが退避するので、規制ローラのみの退避機構を別個独立に設ける構成と比して構造が簡単となりコストアップを防止できる。
【００１１】
本願請求項２記載の記録装置は、請求項１において、前記排紙従フレームの上面において前記摺動部が摺動する部分が隆起形状をなすことを特徴とする。
本願請求項２記載の発明によれば、前記排紙従フレームの上面において前記摺動部が摺動する部分が隆起形状をなすので、前記排紙従フレームの上面が平坦面である場合と比して前記規制ローラ（規制ローラホルダ）の回動量を稼ぐことができ、以て前記規制ローラをより一層上方に退避させることが可能となる。
【００１２】
本願請求項３記載の記録装置は、請求項１または２において、前記ホルダ回動軸にカム部が形成され、該ホルダ回動軸を回動させることによって前記排紙従フレームが回動する様に構成されていることを特徴とする。
本願請求項３記載の発明によれば、前記ホルダ回動軸にカム部が形成され、該ホルダ回動軸を回動させることによって前記排紙従フレームが回動する様に構成されているので、前記ホルダ回動軸によって前記排紙従フレームおよび前記規制ローラホルダの双方が回動し、従って前記排紙従フレームおよび前記規制ローラホルダを回動させる機構が簡単となってコストダウンを計ることが可能となる。
【００１３】
【発明の実施の形態】
以下、図面を参照しつつ本発明の一実施形態について説明する。
先ず、図１を参照しつつ、本発明に係る記録装置としてのインクジェップリンタ（以下「プリンタ」と言う）１００の大略について図１を参照しつつ説明する。ここで、図１はプリンタ１００の側断面図である。尚、図１では図の右側が用紙Ｐの搬送経路の上流側（プリンタ後方側）となり、図の左側が下流側（プリンタ前方側）となっている。
【００１４】
プリンタ１００は上流に用紙Ｐを給紙する給紙装置２を備えている。給紙装置２はホッパ１６を備え、該ホッパ１６上に単票紙としての用紙Ｐを傾斜姿勢で堆積・収納する。ホッパ１６は給紙装置２の後部上方に位置する回動支点（図示せず）を中心に回動可能に設けられ、その先端部が回動駆動される給紙ローラ１４に対して圧接及び離間動作する様になっている。そして、堆積された用紙Ｐの最上位のものは、ホッパ１６が給紙ローラ１４に対して圧接動作を行い、当該圧接状態において給紙ローラ１４が回動することによって下流側に繰り出される。給紙ローラ１４は側面視略Ｄ形の形状をなしていて、印刷動作時にはその平坦部が用紙Ｐに対向する状態に制御され（図１の状態）、これによって用紙Ｐの搬送負荷を軽減する。
【００１５】
給紙ローラ１４から下流の下側には板状体としての紙案内１５が略水平に設けられ、給紙装置２から繰り出された用紙Ｐの先端が該紙案内１５に斜めに当接し、滑らかに下流側に案内される。紙案内１５から下流には回動駆動される搬送駆動ローラ１９ａと、該搬送駆動ローラ１９ａに圧接する搬送従動ローラ１９ｂと、からなる搬送ローラ１９が設けられ、用紙Ｐは、当該搬送ローラ１９によってニップされて、一定ピッチで下流側に搬送される。搬送従動ローラ１９ｂは搬送従動ローラホルダ１８の下流側に軸支され、当該搬送従動ローラホルダ１８は、回動軸１８ａを中心に図１の時計方向及び反時計方向に回動可能に設けられ、且つ、ねじりコイルばね（図示せず）によって搬送従動ローラ１９ｂが常に搬送駆動ローラ１９ａに圧接する方向（図１の反時計方向）に回動付勢されている。
【００１６】
尚、搬送従動ローラホルダ１８は、ユーザによって操作可能な図示しない操作レバーによって回動するカム２６により、図１の時計方向に回動させることができる様になっていて、これにより、搬送従動ローラ１９ｂが搬送駆動ローラ１９ａから離間した位置をとることができる様になっている。
【００１７】
次に、給紙ローラ１４から搬送ローラ１９に至る用紙Ｐの給送経路上には、用紙Ｐの通過を検出する、センサ本体部１７ａと検出子１７ｂとからなる用紙検出器１７が配設されている。検出子１７ｂは側面視略「く」の字の形状をなし、その中央付近の回動軸１７ｃを中心に図１の時計方向及び反時計方向に回動可能に設けられ、回動軸１７ｃから下側は、下流から上流に進む用紙Ｐの先端と緩やかな角度で滑らかに当接する様に形成されている。検出子１７ｂの上方に位置するセンサ本体部１７ａは発光部（図示せず）及び該発光部からの光を受ける受光部（図示せず）を備え、検出子１７ｂの回動軸１７ｃから上側が、その回動動作により、前記発光部から前記受光部に向かう光の遮断及び通過を行う様になっている。よって、図１に示す様に用紙Ｐの通過に伴って検出子１７ｂが上方に押し上げられるように回動すると、検出子１７ｂの上側がセンサ本体部１７ａから外れ、これによって前記受光部が受光状態となって、用紙Ｐの通過を検出する様になっている。
【００１８】
続いて、搬送ローラ１９の下流には、プリンタ１００の記録部を構成する、プラテン２８及びインクジェット記録ヘッド１３が上下に対向する様に配設されている。プラテン２８は主走査方向（図１の紙面表裏方向）に長く、搬送ローラ１９によってインクジェット記録ヘッド１３の下へ搬送される用紙Ｐは、プラテン２８によって下から支持される。インクジェット記録ヘッド１３はインクカートリッジ１１を搭載するキャリッジ１０の底部に設けられ、該キャリッジ１０は、主走査方向に延びるキャリッジガイド軸１２にガイドされながら主走査方向に往復動する。
【００１９】
次に、インクジェット記録ヘッド１３から下流はプリンタ１００の排紙部となっていて、回動駆動される排紙駆動ローラ２０ａと、該排紙駆動ローラ２０ａに軽く圧接することによって従動回動する排紙従動ローラ２０ｂと、からなる排紙ローラ２０が設けられ、インクジェット記録ヘッド１３によって印刷の行われた用紙Ｐは、排紙ローラ２０にニップされつつ排紙駆動ローラ２０ａが回動することにより排出される。
【００２０】
排紙従動ローラ２０ｂは外周に複数の歯を有する歯付きローラであり、排紙従動ローラホルダ２３によって自由回動可能に軸支されている。尚、排紙従動ローラ２０ｂの回動軸は弾性変形可能な棒ばねからなり（図示せず）、これによって排紙従動ローラ２０ｂは用紙Ｐの紙厚に応じて軸方向と直交する方向に若干変位可能となっている。
【００２１】
次に、排紙従動ローラ２０ｂを軸支する排紙従動ローラホルダ２３は、排紙従フレーム２５に取り付けられている。該排紙従フレーム２５は主走査方向に長い板状体からなり、用紙Ｐの排紙経路を側視して図１に示す様にインクジェット記録ヘッド１３の下流側近傍から下流に向かって略水平に延びている。そして、当該排紙従フレーム２５は、同様に主走査方向に長く、且つインクジェット記録ヘッド１３の下流近傍から下流に向かって略水平に延びる、板状体からなる排紙主フレーム２４に、コイルばね２７によって上から圧接する様な状態で取り付けられている。
【００２２】
ここで、排紙従動ローラ２０ｂは、排紙従フレーム２５が排紙主フレーム２４の上流側端部を支点として回動することにより、排紙駆動ローラ２０ａから離間して上方に退避することができる様になっているが、これは、以下の様な理由による。即ち、プリンタ１００は単票紙としての用紙Ｐの他に、厚手で容易に撓まない印刷媒体、例えば、コンパクトディスク媒体（以下ＣＤと略称する）の搬送および印刷が可能となっている。しかし、排紙従動ローラ２０ｂは前述の様に歯付きローラである為、当該歯がＣＤの印刷面に点接触することで、ＣＤの印刷面の直下に在るデータ記憶部分に作用して希にデータを破壊することがある。従ってこの様な不具合を防止すべく、印刷媒体がＣＤである場合には排紙従動ローラ２０ｂがＣＤの印刷面に圧接しない様に、排紙従動ローラ２０ｂを上方に退避させる。尚この時、後述する排紙補助ローラ２２および規制ローラ２９についても同時に上方に退避する構成となっているが、これについては後に詳述する。
【００２３】
続いて、排紙従動ローラ２０ｂのやや上流には排紙補助ローラ２２が設けられ、用紙Ｐは、該排紙補助ローラ２２によってやや下方に押しつけられる様になっている。また、排紙駆動ローラ２０ａと従動従動ローラ２０ｂとのニップ点がやや上流側に設定されていて、更に、搬送駆動ローラ１９ａと搬送従動ローラ１９ｂとのニップ点がやや下流側に設定されている。以上によって用紙Ｐは、排紙ローラ２０と搬送ローラ１９との間で僅かに下に凸となる湾曲状態となり、インクジェット記録ヘッド１３の下に位置する用紙Ｐはプラテン２８に押しつけられ、以て用紙Ｐの浮き上がりが防止され、正常な印刷品質が維持される様になっている。
尚、排紙補助ローラ２２は、前述した排紙従動ローラ２０ｂと同様に歯付きローラからなり、且つ、図示しない弾性変形可能な回動軸（棒ばね）を有し、そして排紙従フレーム２５に取り付けられる排紙補助ローラホルダ２１によって軸支されている。
【００２４】
次に、排紙補助ローラ２２の上流側であってインクジェット記録ヘッド１３の下流近傍には、規制ローラ２９が配置されている。規制ローラ２９は、排紙従動ローラ２０ｂおよび排紙補助ローラ２２と同様に歯付きローラからなり、インクジェット記録ヘッド１３近傍において用紙Ｐの浮き上がりを規制する役割を果たしている。即ち、用紙Ｐはインクジェット記録ヘッド１３からインク滴を吐出される為、インク滴を吸収することによって主走査方向に波打つ現象（コックリング現象）が発生するが、この様なコックリング現象がインクジェット記録ヘッド１３の近傍で発生すると、印刷面がインクジェット記録ヘッド１３に接触し、所謂ヘッドこすれを生じる虞がある。従って、規制ローラ２９によって用紙Ｐの浮き上がりを規制し、前述のヘッドこすれを防止する様になっている。尚、規制ローラ２９の取り付け構造については後に詳述する。
【００２５】
以上がプリンタ１００の全体構成であり、次に、排紙従動ローラ２０ｂと、排紙補助ローラ２２と、規制ローラ２９とを上方に退避させる退避手段について図２および図３を参照しつつ説明する。ここで、図２は排紙主フレーム２４および排紙従フレーム２５の側断面図であり、（Ａ）は排紙従動ローラ２０ｂが排紙駆動ローラ２０ａと圧接した状態を、（Ｂ）は排紙従動ローラ２０ｂが排紙駆動ローラ２０ａから離間した状態を示している。また、図３は規制ローラホルダ３０の拡大側面図であり、（Ａ）は規制ローラ２９が下方に突出した状態を、（Ｂ）は規制ローラ２９が上方に退避した状態を示している。
【００２６】
先ず、図２（Ａ）において、前述した様に排紙主フレーム２４上に排紙従フレーム２５がコイルばね２７によって上から圧接する様に、平行な状態で設けられている。排紙主フレーム２４の上流側には、Ｌ字形状をなす様に鉛直下方に折れ曲がる爪部２４ｂが、排紙主フレーム２４の長手方向（主走査方向：図２の表裏方向）に２ヶ所（詳細図示せず）形成されている。また、排紙従フレーム２５の上流側は、長手方向（図の表裏方向）に渡って鉛直下方にＬ字形状をなす様に一様に折り曲げられ（符号２５ｄで示す部分）、当該折り曲げ部２５ｄには、爪部２４ｂを挿通させる挿通孔２５ｅが、排紙従フレーム２５の長手方向に２ヶ所（詳細図示せず）形成されていて、該挿通孔２５ｅから爪部２４ｂが突出し、折り曲げ部２５ｄの上端（図３において符号２５ｃで示す部分）に掛止する様になっている。
【００２７】
次に、排紙主フレーム２４には長手方向に延びる溝部２４ａが形成され、該溝部２４ａには長手方向に延びるホルダ回動軸３１が嵌入されている。ホルダ回動軸３１には軸方向視において扇形状をなすカム部３１ａが形成されていて、これによってホルダ回動軸３１が回動すると、カム部３１ａが排紙従フレーム２５を押し上げ、そして排紙従フレーム２５が折り曲げ部２５ｄの上端部、即ち、排紙主フレーム２４および排紙従フレーム２５の上流側端部を回動支点として図２の時計方向に回動し、図２（Ｂ）に示す様に排紙従フレーム２５の下流側が排紙主フレーム２４から浮き上がる様になっている。
【００２８】
即ち、排紙従フレーム２５は、ホルダ回動軸３１によって排紙主フレーム２４と平行な状態と、下流側が排紙主フレーム２４から浮き上がった状態とを切り替え可能となっている。尚、ホルダ回動軸３１は、ユーザによって操作可能な図示しない操作レバーによって回動させることができる様に構成されている。
以上により、排紙従フレーム２５に設けられた排紙従動ローラ２０ｂと排紙補助ローラ２２とは、排紙従フレーム２５の回動によって図２（Ａ）に示す状態から図２（Ｂ）に示す状態となり、排紙駆動ローラ２０ｂから離間して上方に退避する。
【００２９】
次に、図３において排紙主フレーム２４および排紙従フレーム２５の上流側端部近傍（インクジェット記録ヘッド１３の下流側近傍）に配置される規制ローラ２９は、回動軸２９ａが規制ローラホルダ３０に軸支されることにより、排紙主フレーム２４の下側で自由回動可能となっている。規制ローラホルダ３０は、規制ローラ２９と排紙従動ローラ２０ｂとの間に位置するホルダ回動軸３１を掴持する様な形状によってホルダ回動軸３１を中心に回動可能となっていて、回動することにより、排紙主フレーム２５に形成された窓穴２４ｃおよび、排紙従フレーム２５に形成された窓穴２５ａの中で上下方向に揺動することができる様になっている。尚、当該規制ローラホルダ３０は、図示しないコイルばねによって規制ローラ２９が常に下方に突出する方向（図３の時計方向）に回動付勢されている。
【００３０】
加えて、規制ローラホルダ３０には排紙従フレーム２５の上面から上方に突出する部分が形成され、当該上方に突出した部分には図３の紙面裏方向に突出する、突起状の摺動部３２が形成されていて、窓穴２５ａの縁部（排紙従フレーム２５の上面）と摺動することができる様になっている（図２も参照）。以上により、排紙従フレーム２５が折り曲げ部２５ｄの上端部（図３において符号２５ｃで示す部分）を支点に回動すると、規制ローラホルダ３０は図３（Ａ）から（Ｂ）に示す様に摺動部３２が排紙従フレーム２５によって上方に持ち上げられ、且つ、摺動部３２が排紙従フレーム２５の上面と摺動することによって図３の反時計方向に回動し、規制ローラ２９が上方に退避する。そして、図２（Ｂ）に示す様に当該規制ローラ２９と、排紙従動ローラ２０ｂと、排紙補助ローラ２２とが上方に退避した状態で厚手の印刷媒体Ｔ（例えば、前述のＣＤ）に印刷を行うことにより、印刷媒体Ｔに悪影響を及ぼさない様にすることが可能となる。
【００３１】
即ち、規制ローラ２９は、前述の様にインクジェット記録ヘッド１３に対する用紙Ｐのヘッドこすれを防止する観点から、インクジェット記録ヘッド１３の下流側近傍に配置すべきものであるが、当該規制ローラ２９を排紙従動ローラ２０ｂ或いは排紙補助ローラ２２と同様に排紙従フレーム２９に設けたのみでは、規制ローラ２９の配置位置が排紙従フレーム２５の回動支点（符号２５ｃで示す部分）と近い為に上方への退避量が稼げず、印刷媒体Ｔを確実に保護することができない。しかし、規制ローラ２９を規制ローラホルダ３０に設け、該規制ローラホルダ３０を排紙従フレーム２５の回動支点とは別の回動支点（ホルダ回動軸３１）を中心に回動させる様に構成したことにより、規制ローラ２９を上方に充分に退避させることが可能となっている。
【００３２】
尚、ホルダ回動軸３１は排紙従フレーム２５と規制ローラホルダ３０との双方を回動させる為の回動軸であり、上記の様に構成することにより、当該ホルダ回動軸３１の両側で排紙従動ローラ２０ｂおよび排紙補助ローラ２２、並びに規制ローラ２９を回動させることが可能となっている。
【００３３】
ところで、摺動部３２が摺動する部分は、本実施形態においては図３に示す様に隆起形状に形成されていて（符号２５ｂで示す部分）、当該隆起形状によって規制ローラホルダ３０の回動量が増加し、規制ローラ２９をより一層上方に退避させることができる様になっている。
【００３４】
【発明の効果】
以上説明した様に、本発明によれば、規制ローラを、排紙従フレームの回動によって排紙従動ローラと共に上方に退避する様な構成としつつ、当該規制ローラを軸支する規制ローラホルダの回動支点を排紙従フレームの回動支点とは別に設定したので、規制ローラホルダを排紙従フレームの回動支点近傍にそのまま設ける場合と比して規制ローラの上方への変位量を増加させることができ、以て規制ローラを充分な退避量をもって退避させることが可能となる。
【図面の簡単な説明】
【図１】本発明に係るインクジェットプリンタの側断面図である。
【図２】本発明に係るインクジェットプリンタの、排紙主フレームおよび排紙従フレームの側断面図である。
【図３】本発明に係るインクジェットプリンタの、規制ローラホルダの側面図である。
【符号の説明】
２  給紙装置
１３  インクジェット記録ヘッド
１９  搬送ローラ
２０  排紙ローラ
２０ｂ  排紙従動ローラ
２２  排紙補助ローラ
２４  排紙主フレーム
２５  排紙従フレーム
２９  規制ローラ
３０  規制ローラホルダ
３１  ホルダ回動軸
【図１】
0003856104.tif 000002
【図２】
0003856104.tif 000003
【図３】
0003856104.tif 000004